(57)【要約】使用しないときにこっそり保管できるように縮小状態となる弾性用性感刺激具であり、該刺激具は、温水を満たすとほぼ女性の骨盤部の大きさ及び形に膨らむ。弾性をもつ内側要素及び外側要素と温水とが協働して、ユーザーに、暖かさ、圧迫感、好反応の動きでより自然な感覚を与える。本刺激具は、骨盤部及び臀部の構造的特徴と外陰部及び膣口を含む女性器の解剖学的に正確な描写とを模した外観を有する。【選択図】図２
2014527452.tif 000002
【特許請求の範囲】
【請求項１】
弾性材料からなる内側要素の周囲に配置されて該内側要素を内包する、弾性材料からなる外側要素を備え、
前記内側要素と前記外側要素との間に内腔が区画され、前記外側要素の開口が前記内腔に連通しており、
前記内側要素は、全体形状が細長く、第１の開口端と、第２の開口端と、これら第１及び第２の開口端の間に延在する長手方向延伸の陰道と、を有し、
前記第１の開口端は、前記外側要素の前記開口内に配置されており、前記第２の開口端は、前記外側要素に接続して合体し、前記陰道へ陰茎を挿入できるように、前記外側要素を貫通して開口し接触可能とされ、
蓋要素により、前記開口に隣接した前記外側要素の部分と前記内側要素の前記第１の開口端とが閉じられ、該蓋要素は、前記開口を密閉して、前記内腔に圧力を生じる液体を閉じ込め且つ該閉鎖開口内に前記第１の開口端を保持する、
疑似性交に使用する男性用性感具。
【請求項２】
前記内腔に液体が満たされることにより、前記内側要素に対して外圧がかかると共に前記外側要素に対して内圧がかかり、少なくとも一方向において前記陰道が縮み、前記外側要素が縮小状態から膨張状態へ膨らむ、請求項１に記載の性感具。
【請求項３】
前記液体が前記内腔からなくなると、前記内側要素に対する外圧及び前記外側要素に対する内圧が失せ、前記外側要素が膨張状態から縮小状態へ縮む、請求項２に記載の性感具。
【請求項４】
当該性感具にかかる力に従って、満たされた前記液体のモメンタムにより前記外側要素を変形させる力が生まれ、そして前記外側要素の弾力性により前記液体を通して反力がかかり受け身のモメンタム及び動きが生み出され、この性感具にかかる力に反応して好反応のダイナミックな動きが得られる、請求項２に記載の性感具。
【請求項５】
膨張状態の前記外側要素がほぼ女性の骨盤部の形である、請求項２に記載の性感具。
【請求項６】
前記外側要素は、膨張状態の形を調整するように厚さを変化させた壁を有する、請求項５に記載の性感具。
【請求項７】
前記外側要素よりも弾性の少ない柔軟なリブが前記外側要素内部に配置され、該リブが膨張状態の形を描くように構成される、請求項６に記載の性感具。
【請求項８】
女性器を模した細部が、前記第２の開口端の所で前記外側要素に配置され、柔軟な非弾性の畝が、前記細部に隣接する前記リブの中に配置され、周りの領域の膨張を制限するように構成される、請求項７に記載の性感具。
【請求項９】
前記外側要素の前記開口は、前記内腔に対し液体を出し入れするために前記第１の開口端よりも大きく、
前記内側要素は、前記外側要素の前記開口の中に位置した前記第１の開口端において、前記第２の開口端又は前記陰道に比べて壁が厚くなっており、該第１の開口端の厚い壁が、前記開口内のプラグを形成している、
請求項１に記載の性感具。
【請求項１０】
前記蓋要素は、前記外側要素に巻き付けるストラップからなり、前記外側要素の前記開口を密閉すると共に該開口内に配置された前記内側要素の前記第１の開口端も閉鎖して保持する、請求項１に記載の性感具。
【請求項１１】
縮小状態とすることが可能で且つほぼ女性の骨盤部の大きさ及び形に膨らますことが可能である、疑似性交に使用する男性用性感刺激具であって、
第１の開口端と第２の開口端との間に全体的に細長い陰道を画定し、外圧がかかったときに少なくとも一方向において縮むように構成された、弾性をもつ内側要素と、前記内側要素の外方周囲に配置されて前記内側要素につなげられた、弾性をもつ外側要素と、を備え、
前記内側要素の前記第１の開口端が前記外側要素の開口に対して整列するように前記内側要素が前記外側要素内に直線的に保持されると共に、前記内側要素の前記第２の開口端が、前記外側要素の外から接触可能なように前記外側要素につなげられており、
前記外側要素は、内圧がかかったときに縮小状態から膨らみ且つ該内圧がなくなると膨張状態から縮小状態へ縮むことができるように弾性を有し、
前記外側要素と前記内側要素との間に内腔が区画され、前記外側要素及び前記内側要素は、前記内腔に対し前記開口を通して液体を出し入れすることができるように構成されると共に、前記内側要素に対する外圧及び前記外側要素に対する内圧がかかるように前記内腔内に液体を閉じ込めるべく閉鎖可能であり、
蓋部材が、液体を閉じ込めるべく前記外側要素の前記開口を閉じると共に前記内側要素の前記第１の開口端を閉じる、刺激具。
【請求項１２】
当該刺激具にかかる力に従って、閉じ込められた前記液体のモメンタムにより前記外側要素を変形させる力が生まれ、そして前記外側要素の弾力性により前記液体を通して反力がかかり受け身のモメンタム及び動きが生み出され、この刺激具にかかる力に反応して好反応のダイナミックな動きが得られる、請求項１１に記載の刺激具。
【請求項１３】
前記第１の開口端が前記外側要素の前記開口の中に配置され、前記外側要素の前記開口を閉じることによって前記内側要素の前記第１の開口端が閉じられる、請求項１１に記載の刺激具。
【請求項１４】
前記内腔に液体が閉じ込められると、前記外側要素内の張力で前記陰道が一時的に塞がる、請求項１１に記載の刺激具。
【請求項１５】
前記外側要素は、膨張状態の形を調整するように厚さを変化させた壁を有する、請求項１１に記載の刺激具。
【請求項１６】
前記外側要素よりも弾性の少ない柔軟なリブが前記外側要素内に配置され、該リブが膨張状態の形を描くように構成される、請求項１５に記載の刺激具。
【請求項１７】
女性器を模した細部が、前記第２の開口端の所で前記外側要素に配置され、柔軟な非弾性の畝が、前記細部に隣接する前記リブの中に配置され、周りの領域の膨張を制限するように構成される、請求項１６に記載の刺激具。
【請求項１８】
前記内側要素は、前記外側要素の前記開口の中に位置した前記第１の開口端において、前記第２の開口端又は前記陰道に比べて壁が厚くなっており、該第１の開口端の厚い壁が、前記開口内のプラグを形成している、請求項１３に記載の刺激具。
【請求項１９】
弾性材料からなる内側筒要素と、該内側筒要素の周囲に配置された弾性材料からなる外側要素と、を備え、
前記外側要素と前記内側筒要素とは、前記内側筒要素の第２の端部における口の周りで互いに接続され、前記内側筒要素は、前記外側要素の内腔を通って前記外側要素の開口内に位置する第１の端部に至り、前記外側要素の前記開口は前記内腔と連通し、前記外側要素は、前記外側要素の前記開口で前記内腔を封止するべく前記内側筒要素の前記第２の端部の周りで閉鎖可能であり、
含有した液体のモメンタムにより前記外側要素が変形し、該外側要素の弾力性により反応モメンタムが生じることを通して、当該刺激具において好反応のダイナミックな動きが生み出される、
疑似性交に使用する男性用性感刺激具。
【請求項２０】
前記内腔に満たされた液体により、前記内側筒要素に対し外圧がかかると共に前記外側要素に対し内圧がかかり、前記内側筒要素が少なくとも一方向において縮み、前記外側要素が縮小状態から膨張状態へ膨らむ、請求項１９に記載の刺激具。
【請求項２１】
前記液体が前記内腔からなくなると、前記内側筒要素に対する外圧及び前記外側要素に対する内圧が失せ、前記外側要素が膨張状態から縮小状態へ縮む、請求項２０に記載の刺激具。
【請求項２２】
前記外側要素は、膨張状態の形を女性の骨盤部の形状に調整するために厚さを変化させた壁を有する、請求項２０に記載の刺激具。
【請求項２３】
前記外側要素よりも弾性の少ない柔軟なリブが前記外側要素内に配置され、該リブが膨張状態の形を描くように構成される、請求項２０に記載の刺激具。
【請求項２４】
女性器を模した細部が、前記第２の端部の所で前記外側要素に配置され、柔軟な非弾性の畝が、前記細部に隣接する前記リブの中に配置され、周りの領域の膨張を制限するように構成される、請求項２３に記載の刺激具。
【請求項２５】
前記外側要素に巻き付けるストラップからなる蓋要素が、前記外側要素の前記開口を密閉すると共に該開口内に配置された前記内側筒要素の前記第１の端部も閉鎖して保持する、請求項１９に記載の刺激具。
【発明の詳細な説明】
【技術分野】
【０００１】
本願は、米国仮出願６１／５２９，９０６の権利を主張する。
【０００２】
本発明は、性的な刺激具に関係する。より具体的には、保管用にはコンパクトであり、温水を満たすことで女性の骨盤部及び臀部の形に膨らみ、内外の弾性要素と温水が協働することで、より自然な内部感覚、自然な体温、及び好反応のダイナミックな動きを得ることのできる、男性用性感刺激具に関する。
【背景技術】
【０００３】
２０１１年８月３１日出願の米国仮出願６１／５２９，９０６における開示事項が本明細書に援用される。
【０００４】
夫婦間や性欲に対する補助具（性交玩具と称する）は、何世紀にもわたり男女を問わず周知であり使用されている。一般に、男性用性交玩具は、コンパクトで比較的静的であり、ゴム等の多様な材料から選ばれる弾性材料で作成され、リアルな外観であったりそうでなかったりする、膣の内性器及び外性器をまねたものが提供されるだけである。
【０００５】
これら一般的な道具の欠点に対し、ユーザーの陰茎に対する締め付け感をまねたり、狭い膣の内性器や外性器を通るときのユーザーの陰茎と模造した膣の内性器とのこすれ感を出す、といったことが試みられている。しかしながら、このような試みを成功させるには、膣の内性器と外性器の少なくともいずれかを、ユーザーひとりひとりの陰茎の大きさに合わせたカスタムサイズとすることが必要である。
【０００６】
このような一般的な道具の好ましくない特質が、模造した膣の内性器が両端で開口していることであり、使用時に、不自然で気勢をそぐ吸い付き雑音を出す。さらに、これらの道具では開口端から潤滑液や精液が漏れ出るということも指摘されている。
【０００７】
肉体的興奮を得るために、これらの道具は一般に、ユーザーが手に持ち陰茎に沿わせて前後に動かすか、又は、道具は静止させておいて陰茎を出し入れする、あるいはその両方の組み合わせで使用される。これらの一般的道具によってユーザーが得られる動きは、自分の手による自慰行為の動きと同じようなものである。中には、女性の骨盤部、性器、臀部をほぼ実物大に模した男性用性交玩具もあるが、このような道具は、どちらかというと静的であり、また、その大きさ故に保管するには目立ってしまう。
【０００８】
既存の道具のほとんどは、自然な体温を提供できず、体感が損なわれる。
【発明の概要】
【発明が解決しようとする課題】
【０００９】
上述した欠点及び限界の一つ以上を克服することの可能な男性用性感刺激具が必要である。
【課題を解決するための手段】
【００１０】
上述した欠点及び限界の一つ以上を克服する男性用性感刺激具を開示する。
【００１１】
本発明の一態様に係る男性用性感刺激具は、使用しないときにこっそり保管できる縮小状態と、温水等の液体を満たしたときの膨張状態と、をもつ。この刺激具は、弾性材料からなる内側要素の周囲に配置されて該内側要素を内包する、弾性材料からなる外側要素を備える。これら要素の間に内腔が区画され、外側要素の開口に連通している。内側要素は、全体形状が細長く、第１の開口端と、第２の開口端と、これらの間に延在する長手方向延伸の陰道と、を有する。内側要素の第１の開口端は、外側要素の開口内に配置されており、内側要素の第２の開口端は、外側要素に接続して合体し、陰道へ陰茎を挿入できるように、外側要素を貫通して開口し接触可能である。蓋要素により、開口に隣接した外側要素の部分と内側要素の第１の開口端とが閉じられる。蓋要素は、開口を密閉し、内腔内に液体を閉じ込め且つ該閉鎖開口内に第１の開口端を保持する。
【００１２】
適量の液体が内腔中に満たされて圧力が生じ、該液体により、内側要素に対して外圧がかかり、外側要素に対して内圧がかかると、少なくとも一方向において陰道が縮み、外側要素は縮小状態から膨張状態へ膨らむ。
【００１３】
適量の液体が内腔からなくなると、内側要素及び外側要素に対する力が失せ、外側要素は膨張状態から縮小状態へ縮む。また、空にすることで、ユーザーは、第１の開口端と第２の開口端との間にある陰道に水を流し、刺激具を洗浄することができる。
【００１４】
本発明の特徴によれば、外側要素は、満たされた適量の液体と協働して、内腔の外側要素に対してユーザーから加えられる力を、内側要素に対しても含めて、内腔全体に広める。
【００１５】
本発明の特徴によれば、外側要素は、女性の骨盤部及び臀部に近い形に膨らむ。この形を生み出すために、本発明の特徴によれば、外側要素の壁厚を変化させることで、膨らんだときの形が調整される。別の特徴によれば、自然な外観を出すために、柔軟なリブのくびき（ヨーク）を設ける。
【００１６】
本発明の特徴によれば、女性器を模した細部が、内側要素の第２の開口端の所で外側要素に配置される。自然な見た目を維持するために、柔軟な非弾性の畝が、細部に隣接するリブの中に配置され、周りの領域の膨張を制限するように構成される。
【発明の効果】
【００１７】
本発明は、使用しないときには比較的小さくてこっそり保管できる刺激具の縮小状態という利点を含む。また、ユーザーの陰茎に対しきつく締まるのではなくて圧力をかける、暖かい液体により生み出される自然な感覚、そして、不自然な吸い付き雑音と使用中の潤滑液、精液の漏れの防止という利点も含む。使用中に内側要素にかかる力は、性交中に女性の膣によって陰茎にかかる自然な圧力に非常に近い。温水により自然な体温が得られる。使用中に外側要素に加えられる力は、液体の動きによって与えられる受け身の力となり、刺激具のダイナミックな好反応の動き、例えば、突く、揺り動かす、揺さぶる、はずむ等、を生み出す。自然な内圧、自然な体温、及び好反応のダイナミックな動きの組み合わせで、刺激具の使用は生き生きとした生々しい感覚を生む。
【図面の簡単な説明】
【００１８】
【図１】縮小状態にある本発明の実施形態の斜視図。
【図２】膨張状態にある本発明の実施形態の斜視図。
【図３】図５の３−３線に沿う、本発明の実施形態の断面図。
【図４】図７の４−４線に沿う、本発明の実施形態の断面図。
【図５】図３の５−５線に沿う、本発明の実施形態の断面図。
【図６】図３の６−６線に沿う、本発明の実施形態の断面図。
【図７】図４の７−７線に沿う、本発明の実施形態の断面図。
【図８】図４の８−８線に沿う、本発明の実施形態の断面図。
【図９】膨張状態にある本発明の実施形態の上面図。
【図１０】膨張状態にある本発明の実施形態の底面図。
【発明を実施するための形態】
【００１９】
本発明の実施形態を示した図面を参照すると、図１及び図２に、疑似性交に使用する男性用性感刺激具１０の斜視図が、縮小状態１２と膨張状態１４でそれぞれ示されている。図１を参照すると、縮小状態１２の刺激具１０は、ボトルネック領域５０を含んだ異形のボトル形状に似ている。当該形状は、別の実施形態では変えることが考えられる。重要なのは、刺激具１０を使用しないときの縮小状態１２が、容易に保管できるように比較的小さくて人目を引かないことである。
【００２０】
図３〜図１０を参照すると、刺激具１０は、弾性材料からなる内側要素４０の周囲に配置されて該内側要素４０を内包する、弾性材料からなる外側要素２０を備える。好ましくは、ゴム、シリコンゴム、他の適切な弾性体、及び同様のものが弾性材料に含まれる（ただし、これに限定されない）。開口２２とつながる内腔２４が、外側要素２０と内側要素４０との間に区画されている。内側要素４０は、全体形状が細長く、第１の開口端２８、第２の開口端３０、及びこれらの間に延在する長手方向延伸の陰道３２を有する。第１の開口端２８は、外側要素２０の開口２２内に配置され、第２の開口端３０は、外側要素２０に接続して合体し、陰道３２に陰茎を挿入するために外側要素２０を貫通して開口し接触可能である。
【００２１】
図９及び図１０にストラップ７０として示す蓋要素により、開口２２に隣接した外側要素２０の部分と内側要素４０の第１の開口端２８とを閉じることが可能で、内腔２４に液体を閉じ込めるべく開口２２が密閉され、この閉じた開口２２の中に内側要素４０の第１の開口端２８が保持される（図８）。ストラップ７０は、ボトルネック領域５０を締め付けて第１の開口端２８及び開口２２を密閉するために十分な各種の蓋要素の中でも優れている。
【００２２】
本発明の好適な態様によると、内腔２４に適量の液体、好ましくは温水、を満たして圧力が生じると、内側要素４０に対し、矢印Ａで示す外圧がかかり、外側要素２０に対し、矢印Ｂで示す内圧がかかる（図７）。図３及び図５と図４及び図７とを対比すると、それぞれ、第２の開口端３０及び陰道３２は少なくとも一方向において縮んでおり、外側要素２０は縮小状態１２から膨張状態１４へ膨らんでいることが明示される。
【００２３】
本発明のこの態様は、より自然な膣の内性器の感覚を模倣した陰道３２が作り出されるので、有益である。前述したように、従来技術の道具は、ユーザーの陰茎にきつくフィットすることで膣の内性器に近づけた狭い陰道に頼っている。言い換えれば、ユーザーの陰茎は、挿入することで従来技術の道具の弾性材料を押しのけ又は引き伸ばし、その変形に対抗する材料の伸縮性が、ユーザーの陰茎に圧迫又は締め付けを加える。本発明は、しかしながら、圧力を生じる暖かい液体と協働させて内側要素４０の弾力性を利用し、ユーザーの陰茎に対するカスタムフィットを生み出している。陰道３２に入ったときに、内側要素４０の弾性は、陰茎を締め付けるのではなくて、陰道３２の開きを許容し、そして、液体によってかかる力がその弾性とバランスをとって、ユーザーが必要とする以上に内側要素４０が拡張しないようにする。その結果、ユーザーは、液体からかかる力を感じ、この力は、従来技術に見られる弾性材料の圧迫よりも格段に自然な感覚である。
【００２４】
さらなる利点として、陰道３２から空気を抜いた後に内側要素４０の第１の開口端２８を閉じることにより、不自然な吸い付き雑音、そして従来技術では普通であった第１の開口端２８からの潤滑液や精液の漏れが、防止される。
【００２５】
本発明の一態様によれば、内腔２４から適量の液体が抜かれると、内側要素４０に対する外圧及び外側要素２０に対する内圧が無くなり、外側要素２０が膨張状態１４から縮小状態１２へ縮み、簡便にこっそり保管することができる。また、空にしたときにユーザーは、第１及び第２の開口端２８，３０の間の陰道３２を通し水を流して刺激具１０を洗浄することができる。縮小状態１２において内側要素４０は、その円筒形状に復帰する結果となり、洗浄後の陰道３２を空気乾燥させられる。
【００２６】
本発明の一態様によれば、外側要素２０は、満たされた適量の液体と協働して、内腔２４の外側要素２０に対しユーザーから加えられる力を、内側要素４０に対しても含め、内腔２４全体に広める。
【００２７】
本発明のこの態様は、内腔２４にかかる力が液体により広められるので、有益である。ユーザーは、陰道３２において彼の陰茎に対して好反応の圧力をかける液体の動きを感じ、この圧力は、性交中の女性の膣から陰茎にかかる自然な圧力に非常に近い。使用中に外側要素へかけられる力は、液体の動きによって与えられる受け身の力となり、刺激具１０のダイナミックな好反応の動き、例えば、突く、揺り動かす、揺さぶる、はずむ等、を生み出す。自然な内圧、自然な体温、そして好反応でダイナミックな動きが組み合わさって、刺激具の使用は生き生きとした生々しい感覚を生む。
【００２８】
本発明の特徴によれば、膨張状態１４において、外側要素２０は、女性の骨盤部及び臀部の形に似せられる。この形を生み出すために、本発明の特徴によれば、外側要素２０の壁厚を変化させて、膨らんだときの形を調整する。また、本発明の特徴によれば、柔軟なリブ９０のくびき（ヨーク）を用いて自然な外観を生み出す。リブ９０は、外側要素２０の材料に比べて弾性の少ない材料で形成され、外側要素２０の内側に配置されて、膨張状態１４になるときにその膨らみを調整する。好ましくは、リブ９０は、外側要素２０に融合され、外側要素２０の形を調整して骨盤部及び臀部を模倣する。
【００２９】
本発明の特徴によれば、女性器を真似た細部８０が、内側要素４０の第２の開口端３０の所で外側要素２０に配置される。刺激具１０が膨張状態１４になったときの細部８０の正確性を維持するため、柔軟な非弾性の畝８８が細部８０に隣接したリブ９０の中に配置され、周りの領域の膨張を制限するように構成されている。
【００３０】
刺激具１０の一態様によれば、外側要素２０の開口２２は、内腔２４に対し液体を出し入れするために、第１の開口端２８よりも十分に大きい。図６及び図８に見られるこの態様によれば、第１の開口端２８を満たさずに内腔２４を液体、好ましくは水で満たすことが簡単になる。内側要素４０と外側要素２０との間の開口２２内に蛇口を位置させてたやすく満たすことができる。さらに、第１の開口端２８の周りの内側要素４０の材料の厚さにより、開口２２の密閉を補助するプラグ２６が提供される。プラグ２６は、内側要素４０の中側寸法を減少させることによって形成され、これにより、内側要素４０がボトルネック領域５０を通る所の第１の開口端２８で、内側要素４０の壁を厚くする。
【００３１】
図９及び図１０はそれぞれ膨張状態１４にある刺激具１０の上面図と底面図であり、外側要素２０とリブ９０の協働により形成される骨盤部及び臀部の外見を示している。
【００３２】
上述のすべてのことから、膨張式のコンパクトな男性用性感刺激具を開示し説明したことが、当業者には明らかである。しかしながら、本発明の原理及び範囲の中で、本発明の本質を示すべく説明し図示した詳細、材料、パーツの組み合わせを含め、変更が可能であり且つ考えられることも、明らかである。したがって、上記の説明及び考察は本発明の好適な形態又は要素に向けられているけれども、上記の説明及び考察を基にした本発明の概念は、本発明の範囲から逸脱することなく、容易に他の形態及び構成に組み合わせ又はこれに使用することができる。すなわち、特許請求の範囲は、開示した特定の形態と共に広く本発明を保護するように意図されており、本発明の思想及び範囲から逸脱しないすべての変更、修正、派生、及び他の用途及び応用は、特許請求の範囲によってのみ特定される本発明によって網羅される。
【符号の説明】
【００３３】
１０  刺激具（男性用性感刺激具）
１２  縮小状態
１４  膨張状態
２０  外側要素
２２  開口
２４  内腔
２６  プラグ
２８  第１の開口端
３０  第２の開口端
３２  陰道
４０  内側要素
５０  ボトルネック領域
７０  ストラップ
８０  細部
８８  畝
９０  リブ
【図１】
2014527452.tif 000003
【図２】
2014527452.tif 000004
【図３】
2014527452.tif 000005
【図４】
2014527452.tif 000006
【図５】
2014527452.tif 000007
【図６】
2014527452.tif 000008
【図７】
2014527452.tif 000009
【図８】
2014527452.tif 000010
【図９】
2014527452.tif 000011
【図１０】
2014527452.tif 000012
【国際調査報告】
2014527452.tif 000013